(57)【特許請求の範囲】
【請求項１】
プレイ面に設けられた少なくとも１枚の平らな上部層板と、前記上部層板に関して実質的な深さを有する少なくも１層の波形の（sinuous）フルーティングとを有する段ボール紙板から製作された２次元の平らなゲームボードと、
前記ゲームボードの前記プレイ面上で特定のゲームをプレイするための連続する個々の位置を表す第１のしるしと、
選択的に挿入及び離脱可能な複数の平らなゲーム用駒であって、前記駒上には第２のしるしを有する駒と、
前記上部層板を貫通して前記段ボール紙板のフルーティング層中まで延在する、複数の狭い垂直のスリットであって、対向する切断されたフルーティングエッジが多様なゲーム用駒のグリップ領域を設置することができ、前記ゲーム用駒のグリップ領域は、ゲーム用駒を埋め込み、受け入れて、前記ゲームボードの前記プレイ面に関して凡そ垂直な方向に維持するのに適しているスリットと、を備え、
前記ゲーム用駒の各々は、前記狭いスリット内に堅く埋め込むことを可能にする長さ及び幅を有する脚部を備え、これによって、前記スリットの境界を形成する前記段ボール紙板の前記対向する切断されたフルーティングエッジによって前記スリット内の前記ゲーム用駒脚部による圧力及び摩擦の作用により、前記ゲーム用駒は前記スリット内に確実に保持されることができる
ことを特徴とする携帯型ゲームセット。
【請求項２】
前記スリットは、前記ゲームボード上の各列の端から端まで連続して延在している、請求項１に記載の携帯型ゲームセット。
【請求項３】
前記スリットは、前記ゲームボード上の各位置に配置された個々のスリットを含む、請求項１に記載の携帯型ゲームセット。
【請求項４】
前記ゲーム用駒は、矩形状である、請求項１に記載の携帯型ゲームセット。
【請求項５】
前記ゲーム用駒は、透明であり、これによって前記駒上の前記しるしを見ることができる、請求項１に記載の携帯型ゲームセット。
【請求項６】
前記ゲームボードのしるしはチェスグリッドを含み、前記ゲーム用駒のしるしはチェス駒を含む、請求項１に記載の携帯型ゲームセット。
【請求項７】
前記ゲームボードはチェッカボードのしるしを含み、前記ゲーム用駒のしるしはチェッカを含む、請求項１に記載の携帯型ゲームセット。
【請求項８】
前記スリットは、前記平らなゲーム用駒の前記脚部の幅よりも狭い幅を有する、請求項１に記載の携帯型ゲームボード。
【請求項９】
前記２次元の平らなゲームボードは、下部層板を含む段ボール紙板から製作された、請求項１に記載の携帯型ゲームボード。
【発明の詳細な説明】
【技術分野】
【０００１】
この発明は、チェスおよびその他のゲームを行うための携帯型ゲームセットに関する。
【背景技術】
【０００２】
旅行しているときなど、従来のゲームセットが利用できず、または適さないときにチェスやチェッカなどのボードゲームを遊ぶことができる様々な携帯型ゲームセットが開発されてきた。たとえば、チェスセットに関するButlerへの米国特許第３，９０７，３０２号は、各遊戯用駒の底部にある小突起を受け入れる受け口をもつ遊戯ボードを有するチェスセットを教示する。Butlerのチェスセットの遊戯ボードは通常の状況ではチェス駒をボード上に保持するが、このチェスセットは、厳しい天候状態の際や遊戯ボードがひっくり返ったときに駒がその位置を保つ程に強固には駒をボードに保持することはない。さらに、Butlerの装置では、駒が、遊戯ボード上の各枡目に関して４５度の角度で保持され、それは、駒がゲームボードの上縁および下縁に平行な標準的チェスの提示法とは異なる。この従来にない提示法により、競技者にはボード上の駒が歪んで見える。
【０００３】
チェスまたはチェッカのボードおよびチェスまたはチェッカの駒に関するLiveseyへの米国特許第７８３，２９３号は、複数のチューブを含む折畳式ゲームボードを教示する。Liveseyのチェスボードは、２つの隣接するチューブの間の隙間に上部カバーのスリットを通して遊戯用駒を受け入れるようになされている。このLiveseyの装置では、チェスの駒は、２つのチューブの隣接する側面によって確実に保持される。しかし、ゲームボードの構造が複雑になり、製造するのに比較的費用が掛かる。さらに、チューブに幅があるので使用に際しボードが嵩張り、携帯型ゲームセットとして使用するのに望ましくない。さらに、１つまたは複数のチューブが損傷すると、ボードはゲーム用駒を有効に保持しなくなる。
【０００４】
したがって、ゲーム用駒を垂直に強固に保持し、軽量で、製造するのに安価な携帯型ゲームセットを得ることが望ましい。さらに、ゲーム用駒の視覚的表示法を改善した携帯型ゲームボードを得ることが望ましい。
【発明の概要】
【発明が解決しようとする課題】
【０００５】
したがって、本発明の目的は、ゲームボード上に複数のゲーム用駒を強固に保持する携帯型ゲームセットを提供することである。
【０００６】
本発明の別の目的は、ゲームボード上に複数のゲーム用駒を強固に保持する軽量な携帯型ゲームセットを提供することである。
【０００７】
本発明の別の目的は、製造するのに安価なゲームボード上に複数のゲーム用駒を強固に保持する携帯型ゲームセットを提供することである。
【０００８】
本発明の別の目的は、ゲームボード上のゲーム用駒の提示法を改善した旅行用ゲームセットを提供することである。
【課題を解決するための手段】
【０００９】
セットは、段ボール紙板から構成された平らなゲームボードと、複数のゲーム用駒とを備える。ゲームボードは、ゲームボードに関する位置を表す交互に並ぶ濃淡の枡目で構成された挌子または「チェッカボード」パターンの形態のしるしをその上に有する。複数のゲーム用駒は、それらの表面上に特定のゲーム用駒を表すしるしを備える。ゲーム用駒は、しるしがボードの両側の競技者に見えるように透明な材料で構成される。しるしは、３次元の外観を与えるように陰影が施されている。ゲームボードおよびゲーム用駒は、携帯性を向上させるために軽量である。
【００１０】
ゲームボードの各枡目は、ゲーム用駒の底部を受け入れ係合するためのスリットを有する。ゲーム用駒がスリットに挿入されると、ゲーム用駒は、平らなボードに対して垂直（約９０度）に配置される。この向きは、従来のチェスボード上に配置された従来の３次元のチェスの駒の見え方に似ており、ボードの両側の競技者に、チェスの駒、およびそれらに可能なボード上の移動点を容易に視認させることができる。
【００１１】
ゲーム用駒がスリットに挿入されると、スリットの境界または縁を形成する、段ボール紙板の切断されたフルーティング(fluting)が、ゲーム用駒に圧力を加え、駒がスリット中に確実に保持される。スリットの縁の切断されたフルーティングが、また、スリット内にゲーム用駒を把持しその動きを拘束する対向する摩擦面を形成する。ゲームボードによってチェスセットの駒に加えられる力は、ボードがひっくり返り、またはかなりの程度の力を受けても、駒をボード上のスリット内に維持する。したがって、ゲームセットは、利用者が強風または荒天状態の中でゲームを行うことを可能にする。さらに、ボードは、ゲームの途中で逆さまたは１８０度位置でしまって置くことができ、駒の位置はボード上で維持される。さらに、段ボール紙板は安価な材料であり、スリットおよびしるしの塗布は従来の機械によって容易に施工することができる。これにより、携帯型ゲームセットを経済的かつ効率的に製造することができる。
【００１２】
本発明の前述およびその他の目的、特徴および利点が、添付図面と併せて、本発明の好ましい実施形態の以下の説明によって明らかになるであろう。
【図面の簡単な説明】
【００１３】
【図１】チェスまたはチェッカゲームボードを表すしるしを有する新規なゲームボードの透視図である。
【図２】チェスの駒を表すしるしをもつ複数のゲーム用駒を有する新規なゲームボードの透視図である。
【図３】図２の線３−３に沿った、新規なゲームボードの断面図である。
【発明を実施するための形態】
【００１４】
図１および２を参照すれば、本発明は、ゲームボード４と、複数のゲーム用駒６とを有する改良されたゲームセット２を対象とする。ゲームボード４は、平らであり、特定のゲームに関してゲームボードの位置を表示するしるし８をその表面に有する。図示の好ましい実施形態では、ゲームはチェスであり、ゲームボード４は、濃淡交互に並ぶ６４個の枡目５から構成される。このしるし８は、従来のチェスボード４を形成する。図示のゲームボード４はチェスまたはチェッカに適するが、ゲームボード４上のしるしおよびゲーム用駒６上のしるし１０は、バックギャモン、ダイヤモンドゲーム、碁などを含む他のボードゲーム用に設計してもよい。さらに、ゲームボード４の１つの面が、複数のゲームのしるし８を有することもできる。あるいは、別のゲームを行うためのしるし８をゲームボード４の裏側に配置してもよい。
【００１５】
ゲームセットは、「チェスの諸駒」またはボード上で行われる特定のゲームのためのゲーム用駒の種類を表すしるし１０をその上に有する複数のゲーム用駒６を備える。たとえば、図示の好ましいチェスの実施形態では、クイーン１２ａ、キング１２ｂ、ルーク１２ｃ、ナイト１２ｄ、ビショップ１２ｅ、およびポーン１２ｆを表すしるし１０が示されている。ゲーム用駒上のしるし１０には陰影を付けて、しるしに３次元的外観を与えることができる。ゲーム用駒は、好ましくは、プラスチックなど、堅く、軽量で、耐久性のある材料から構成される。さらに、ゲーム用駒６は、好ましくは、しるし１０をボードの両側の競技者が容易に見ることができるように透明である。あるいは、ゲーム用駒を不透明の材料から製作し、しるし１０をゲーム用駒６の両側に配置することもできる。図示の実施形態では、駒６は平らで矩形である。あるいは、駒６は、多面体でもよく、また様々な異なる形状を有し得る。
【００１６】
ゲームボード４は、１枚または複数の平らな層板１４および内部フルーティング１６から構成される段ボール紙板から製作される。紙の強度、層板(pile)１４およびフルーティング１６の層の数、ならびにフルーティングのタイプが異なる様々な異なる構造の段ボール紙板が、入手可能である。本発明による新規なゲームボードは、フルーティングを持ついかなる段ボール紙板からでも形成することができる。図示された実施形態では、段ボール紙板は、２層のフルーティング１６と、３枚の層板１４を有する。好ましい実施形態では、ＢＣフルート(flute)を有する２７５  ｌｂ板など高品質の段ボール紙板が使用されている。
【００１７】
ゲームボード４は、段ボール紙板の上側層板１４およびフルーティング１６の層を貫通して走るスリット１８を有する。スリット１８は、ゲームボード４の、ゲーム用駒６を受け入れる各位置に配置されている。図１〜３に示される実施形態では、スリット１８は、最左端の枡目の端から最右端の枡目の端まで延在する各列上の連続スリットを含む。ただし、それに代わって、スリット１８は、各枡目内の個々のスリットから構成してもよい。
【００１８】
ゲーム用駒６の、ゲームボード４のスリット１８に受け入れられる部分は、ゲーム用駒６がゲームボード６のスリット１８に受け入れられるような寸法でなければならない。図示の実施形態では、スリット１８は直線であり、ゲーム用駒６は平らで、矩形である。矩形のゲーム用駒６の短辺が、スリット１８に挿入されるようになされている。連続スリットを含む図１〜２に示されるスリット１８を各列に配置することにより、スリットが各枡目の幅全体に延在することが可能になる。その結果、ゲーム用駒６は、枡目幅全体に近い寸法を有することができ、それによって、しるしを表示する余地が広くなり、駒を簡単に掴める広い表面が得られる。ゲーム用駒６がゲームボード４のスリット１８に挿入されると、ゲーム用駒は、ゲームボードに対して約９０度で直立する。
【００１９】
ゲーム用駒６がスリット１８に挿入されると、段ボール紙板のスリットの境界または縁を形成する、段ボール紙板の切断されたフルーティング２０、および１枚または複数の層板２２が、ゲーム用駒６の、スリット１８内の部分に大きな圧力を加える。さらに、フルーティングの切断縁部２０は、ゲーム用駒６を把持する摩擦面を形成する。フルーティングおよび層板の切断縁部２０、２２の、ゲーム用駒６への圧力および摩擦把持力が、ゲーム用駒をゲームボード４上のそれぞれの位置に強固に保持する。したがって、段ボール紙板は、ゲーム用駒を保持するのに著しく効果的なボードを形成し、軽量で携帯性を向上させる。
【００２０】
スリット１８の保持力を最大にするために、ゲームボード４のスリットの幅を、挿入される各ゲーム用駒６の底部の幅より僅かに小さくすることが好ましい。
【００２１】
ゲームセット２は、強風または荒天状態でも、スリット１８中の駒６が外れる心配をすることなく利用者がゲームを行うことを可能にする。さらに、ボード４は、ゲームの途中でも逆さまたは１８０度位置でしまって置くことができ、駒６の位置はボード上で維持される。
【００２２】
スリット１８は、好ましくは、ゲームボード４の上端に平行に配置され、その結果、ゲーム駒６は、従来のチェスセットのゲーム用駒の配置と同様に、ゲームボードの上辺および下辺に対して平行に維持される。あるいは、スリット１８が別の角度で、ゲーム用駒６が多面体であり、その結果、ゲーム用駒の上端部がゲームボードの上辺および下辺に対して平行に配向されてもよい。透明な駒とゲーム用駒６の従来の向きとを組み合わせると、競技者が、ゲーム用駒６およびゲームボード４を、従来のチェスセットと同様に容易に視認ことができるように見え方が改良されたゲームセット２が提供される。
【００２３】
図示の実施形態は、ゲームボード４およびゲーム用駒６上にチェス用のしるしを有するが、ボードおよび駒は、ダイヤモンドゲーム、碁、バックギャモン、チェッカを含む他のゲームに適したしるしおよびスリット１８の向きを有してもよい。
【００２４】
さらに、段ボール紙板は安価な材料であり、スリット１８およびしるしの塗布は機械によって容易に施工することができる。これにより、携帯型チェスセットを経済的に製造することができ、極めて効果的に機能させることができる。
【００２５】
本発明は、ボードゲームではなくて、携帯型遊戯セットを提供するために使用することもできる。たとえば、ボード４は、チェッカボードではなくて、農場の様々な場所など、ある環境または設定を表すしるし８を有し得る。遊戯用駒６は、ボード４上のしるしに対して主題が相補的である物や事柄を表すしるし１０を有し得る。たとえば、ボード上のしるし８が農場を設定するしるしである場合、遊戯用駒上のしるし１０は農夫および／または動物を表し得る。
【００２６】
考えられる別の変形形態では、ボード４は、利用者が様々な遊戯用駒６の位置を変えてその設定または行動を変えることができるように配向された所定のパターンのスリット１８を有し得る。これによって、利用者は、特定の筋書きを演じ、または一連の架空の事象を生じさせるように遊戯セットを使用することができる。遊戯用駒６は、スリット１８中ではボード４に対して垂直な向きを有する。これが、遊戯セットに、従来の２次元の遊戯セットに比較して増進された表現力を与える。
【符号の説明】
【００２７】
２  ゲームセット
４  ゲームボード
５  枡目
６  ゲーム用駒
８  しるし
１０  しるし
１２ａ  クイーン
１２ｂ  キング
１２ｃ  ルーク
１２ｄ  ナイト
１２ｅ  ビショップ
１２ｆ  ポーン
１４  層板
１６  フルーティング
１８  スリット
２０  フルーティングの切断縁部
２２  層板の切断縁部
【図１】
0005563982.tif 000002
【図２】
0005563982.tif 000003
【図３】
0005563982.tif 000004